(57)【特許請求の範囲】
【請求項１】
滅菌機能付きの弾力性手袋の検査及び装着装置であって、
滅菌チャンバー（１）を含み、前記滅菌チャンバー内に弾力性手袋（２）をセットして固定し、前記弾力性手袋（２）の指袋部が前記滅菌チャンバー（１）の内部に位置し、前記滅菌チャンバー（１）の一側に手首部セットリング（３）をセットするためのチャンバー貫通孔（１５）を開設し、手首部が前記手首部セットリング（３）を通じて前記滅菌チャンバー（１）上に固定され、
前記滅菌チャンバー（１）に更に前記滅菌チャンバー（１）内圧を検査すると共に、閉ループ制御を行う圧力検査スイッチ（７）を設けており、
前記滅菌チャンバー（１）にエアーポンプ（５）に接続するための空気通路ポート（１７）が設けられ、前記エアーポンプ（５）が電磁弁（８）を通じて、前記滅菌チャンバー（１）と接続され、前記滅菌チャンバー（１）と前記電磁弁（８）が更に制御盤（１３）に接続され、
前記制御盤（１３）によって前記電磁弁（８）を制御して、前記弾力性手袋（２）の負圧による広げ、装着及び正圧による収縮、脱装を実現し、
前記滅菌チャンバー内部と手袋外部との間の密閉区域に負圧を形成することで、前記手袋を膨らませて大きくする吸気循環と、前記滅菌チャンバー内部と前記手袋外部との間の前記密閉区域に正圧を形成することで前記手袋を完全に人の手に密着させる空気入れ循環とを含み、
前記エアーポンプ（５）の吸気口は、吸気ホースを通じて、各々前記電磁弁（８）のポートＡに連なると共に、前記滅菌チャンバー（１）の排気口と連通し、前記エアーポンプ（５）の排気口は、前記電磁弁（８）のポートＢに連なると共に、外気と連通して前記吸気循環を構成し、
前記エアーポンプ（５）の前記排気口は、空気入れホースを通じて、前記電磁弁（８）の前記ポートＢに連なると共に、前記滅菌チャンバー（１）の吸気口と連通し、前記エアーポンプ（５）の前記吸気口は、各々前記電磁弁（８）の前記ポートＡに連なると共に、外気と連通して前記空気入れ循環を構成することを特徴とする滅菌機能付きの弾力性手袋の検査及び装着装置。
【請求項２】
前記吸気ホース及び前記空気入れホースには、いずれも流量調節弁（９）と、逆止弁（１０）と、除菌フィルタ（１１）とを設けており、
ホース全体の空気清浄度を保証して、前記手袋の二次汚染を防止できることを特徴とする請求項１に記載の滅菌機能付きの弾力性手袋の検査及び装着装置。
【請求項３】
前記滅菌チャンバー（１）の前記手首部セットリング（３）は、装着待ちの前記弾力性手袋を固定する時、前記滅菌チャンバー（１）の前記チャンバー貫通孔（１５）が対外的に密封されることを特徴とする請求項１に記載の滅菌機能付きの弾力性手袋の検査及び装着装置。
【請求項４】
前記チャンバー貫通孔（１５）の口縁は、前記チャンバー貫通孔の一端で、前記チャンバー貫通孔の軸線を中心に設けられ、
前記チャンバー貫通孔（１５）の口縁は、フレア状又は階段状或いは斜角状とし、
前記フレア状とは、前記チャンバー貫通孔の口縁半径が徐々に増大し且つ滑らかな円弧となることをいい、
前記階段状とは、前記チャンバー貫通孔の前記口縁半径が増大し且つ直角階段状となることをいい、
前記斜角状とは、前記チャンバー貫通孔の前記口縁半径が徐々に増大し且つ滑らかな斜角となることをいうことを特徴とする請求項１に記載の滅菌機能付きの弾力性手袋の検査及び装着装置。
【請求項５】
前記チャンバー貫通孔（１５）の口縁は、前記チャンバー貫通孔の一端で、前記チャンバー貫通孔の軸線を中心に設けられ、
前記口縁は、前記チャンバー貫通孔の前記軸線を中心として、非対称構造とすることを特徴とする請求項１に記載の滅菌機能付きの弾力性手袋の検査及び装着装置。
【請求項６】
前記口縁が前記非対称構造の場合、その具体的構造は、前記軸線から半径方向に沿って前記口縁に向かって各々延伸する寸法が異なり、又は前記軸線から前記半径方向に沿って前記口縁に向かって各々延伸する形状が異なり、
前記口縁は、直角階段構造と、斜角構造とを有することを特徴とする請求項５に記載の滅菌機能付きの弾力性手袋の検査及び装着装置。
【請求項７】
前記チャンバー貫通孔の口縁は、伸縮構造で、前記手袋を前記チャンバー貫通孔にセットした時、前記チャンバー貫通孔が収縮して口径を縮小し、
前記手袋のセットを終えた後、前記チャンバー貫通孔が拡大し、前記口径が元に戻って、前記手袋をしっかりと固定することを特徴とする請求項１に記載の滅菌機能付きの弾力性手袋の検査及び装着装置。
【請求項８】
前記伸縮構造は、前記口縁が弾力性のある材料で製造され、前記口縁の内側に弾性部材を設けており、
前記手袋を前記チャンバー貫通孔にセットした時、前記口縁が外力の作用下において、前記チャンバー貫通孔内部に向かって移動すると共に、前記弾性部材を引っ張り、前記チャンバー貫通孔を収縮させて前記口径を縮小し、
前記手袋のセットを終えた後、前記外力が消え、前記弾性部材の作用下において、前記口縁が元の状態に戻り、前記口径も同時に元に戻り、前記手袋をしっかりと固定することを特徴とする請求項７に記載の滅菌機能付きの弾力性手袋の検査及び装着装置。
【請求項９】
前記伸縮構造は、前記チャンバー貫通孔外壁の前記口縁に近い箇所に係脱自在な係止手段を設けており、
前記手袋をセットする時、前記係止手段が収縮し、前記手袋が固定され、前記係止手段を通じて、手首部を固定し、
前記負圧を吸引する前、前記係止手段が跳ねて前記手袋をしっかりと固定し、前記手袋を装着した後、前記正圧をかけて前記係止手段が再度収縮して簡単に前記手袋を脱装することを実現することを特徴とする請求項７に記載の滅菌機能付きの弾力性手袋の検査及び装着装置。
【発明の詳細な説明】
【技術分野】
【０００１】
本発明は、医療用滅菌装置技術分野に属するものであって、弾力性手袋装着装置に関し、特に、弾力性手袋の気密性検査、滅菌及び装着装置に関する。
【背景技術】
【０００２】
弾力性手袋は、医療看護における必需品の１つであり、通常の状態において、現在の弾力性手袋の装着時、看護士等の人員の介助が必要とされ、且つ装着過程も困難で、手袋の表面を汚染及び破損しやすい。そのため、交差感染等の医療事故が発生していた。同時に、非ビニール素材の弾力性手袋は、往々にして比較的良好な弾力性を持ちすぎるため、その装着難易度が増え、手術や看護等の非常事態における装着及び使用が不便となっている。従来の一部の補助装置は、その技術実現を通じて弾力性手袋の装着・操作に一定の便利さを提供しているが、手動制御、手袋の気密性の自己検査及び滅菌等の機能がないため、容易に医療事故を引き起こしてしまう。
【発明の概要】
【発明が解決しようとする課題】
【０００３】
そこで、本発明は、上記従来技術の不足を克服して構造設計が合理的で、使用においても迅速かつ便利で、交差感染を効果的に減少できる滅菌機能付きの弾力性手袋の気密性検査及び装着装置を提供することを目的とする。
【課題を解決するための手段】
【０００４】
上記目的を達成するため、本発明に係る滅菌機能付きの弾力性手袋の検査及び装着装置は、滅菌チャンバーを含み、該滅菌チャンバー内に弾力性手袋をセットして固定する。前記弾力性手袋の指袋部が前記滅菌チャンバーの内部に位置し、前記滅菌チャンバーの一側に手首部セットリングをセットするためのチャンバー貫通孔を開設する。手首部が手首部セットリングを通じて、前記滅菌チャンバー上に固定される。前記滅菌チャンバーに更に、滅菌チャンバー内圧を検査すると共に、閉ループ制御を行う圧力検査スイッチを設けている。該滅菌チャンバーにエアーポンプに接続するための空気通路ポートが設けられ、前記エアーポンプが電磁弁を通じて滅菌チャンバーと接続し、前記滅菌チャンバーと電磁弁が更に制御盤に接続する。制御盤によって、電磁弁を制御して弾力性手袋の負圧による広げ、装着及び正圧による収縮、脱装を実現する。
【０００５】
前記滅菌チャンバー内には、オゾン発生装置、低温殺菌器、紫外線滅菌装置、マイナスイオン殺菌装置などといった滅菌装置を配置する。
【０００６】
前記滅菌機能付きの弾力性手袋の気密性検査及び迅速な装着装置は、更に滅菌チャンバー内部と手袋外部との間の密閉区域に負圧区を形成することで手袋を膨らませて大きくする吸気循環と、滅菌チャンバー内部と手袋外部との間の密閉区域に正圧区を形成することで手袋を完全に人の手に密着させる空気入れ循環とを包む。前記エアーポンプの吸気口は、吸気ホースを通じて各々電磁弁のポートＡに連なると共に、滅菌チャンバーの排気口と連通し、前記エアーポンプの排気口が電磁弁のポートＢに連なると共に、外気と連通して吸気循環を構成する。前記エアーポンプの排気口は、空気入れホースを通じて電磁弁のポートＢに連なると共に、滅菌チャンバーの吸気口と連通し、前記エアーポンプの吸気口が各々電磁弁のポートＡに連なると共に、外気と連通して空気入れ循環を構成する。
【０００７】
前記吸気ホース及び空気入れホースには、いずれも流量調節弁と、逆止弁と、除菌フィルタとを設けており、ホース全体の空気清浄度を保証して手袋の二次汚染を防止できる。
【０００８】
前記滅菌チャンバーの手首部セットリングは、装着待ちの弾力性手袋を固定する時、滅菌チャンバーのチャンバー貫通孔が対外的に密封されることで、保圧状態を保つ。
【０００９】
前記チャンバー貫通孔は、円形又は類円形、楕円又は類楕円或いは上部切断面が鋭形で下部切断面が鈍形の卵形又は類卵形の構造から選ばれる。
【００１０】
前記チャンバー貫通孔の口縁は、チャンバー貫通孔の一端から各々半径方向に沿って両端に向かって延伸してなる。該チャンバー貫通孔の外縁は、フレア状又は階段状或いは斜角状から選ばれる。前記フレア状とは、チャンバー貫通孔の口縁半径が徐々に増大し且つ滑らかな円弧となることをいい、前記階段状とは、チャンバー貫通孔の口縁半径が増大し且つ直角階段状となることをいい、前記斜角状とは、チャンバー貫通孔の口縁半径が徐々に増大し且つ滑らかな斜角となることをいう。
【００１１】
前記チャンバー貫通孔の口縁は、チャンバー貫通孔の一端から各々半径方向に沿って両端に向かって延伸してなり、該口縁がチャンバー貫通孔の軸線を中心とした非対称構造とする。
【００１２】
前記口縁が非対称構造の場合、その具体的構造は、口縁の半径方向に沿って両端に向かって各々延伸する寸法が異なり、又は口縁の半径方向に沿って両端に向かって各々延伸する形状が異なり、一端が直角階段構造で、他端が斜角構造とする。
【００１３】
前記チャンバー貫通孔の外縁は伸縮構造で、手袋をチャンバー貫通孔にセットした時、チャンバー貫通孔が収縮して口径を縮小し、手袋のセットを終えた後、チャンバー貫通孔が拡大し、口径が元に戻って手袋をしっかりと固定する。手袋が手に装着された時、手袋に直ちに正圧をかけると同時に、チャンバー貫通孔の口径が再度縮小して、手袋が簡単に脱装されることを実現する。
【００１４】
前記伸縮構造は、口縁が弾力性のある材料で製造され、口縁とチャンバー貫通孔との間に弾性部材を設けている。手袋をチャンバー貫通孔にセットした時、口縁が外力の作用下において、チャンバー貫通孔内部に向かって移動すると共に、弾性部材を引っ張り、チャンバー貫通孔を収縮させて口径を縮小する。手袋のセットを終えた後、外力が消え、弾性部材の作用下において、口縁が元の状態に戻り、口径も同時に元に戻り、手袋をしっかりと固定する。手袋が手に付けられた時、手袋に直ちに正圧をかけると同時に、チャンバー貫通孔の口径が再度縮小して手袋が簡単に脱装されることを実現する。
【００１５】
前記伸縮構造は、前記チャンバー貫通孔外壁の口縁に近い箇所に係脱自在な係止手段を設けている。手袋をセットする時、係止手段が収縮し、係止手段を通じて手首部を固定する。負圧を吸引する前、係止手段が跳ねて手袋をしっかりと固定する。手袋を装着した後、正圧をかけて係止手段が再度収縮して、簡単に脱装することを実現する。
【００１６】
前記正圧・負圧による手袋気密性の検査は、手袋をセットした後、負圧をかけて手袋を膨らませ、この過程中、圧力センサーでチャンバー負圧を連続検査し、チャンバーが負圧に達すことができない、或いは、抽出ポンプが停止した後、負圧が減少すると、手袋に穴があり、使用できないことを示す。空気漏れがゆっくりで、確認できない場合、再度正圧をかけて手袋を突出並びに膨らませ、圧力センサーで正圧を検査し、同時に人手を介し観察して、手袋に穴がないかどうかを確認できる。
【００１７】
前記チャンバー貫通孔は、型番・素材及び寸法の異なる手袋の手首部セットリングの応力が異なるため、手袋の手首部セットリングを簡単にチャンバー貫通孔上に嵌め込み、同時に装着を終えた後、正圧をかける時、簡単に脱装できるものを考えた。
【発明の効果】
【００１８】
従来技術に比べると、本発明は、以下に記載されるような効果を奏する。
本発明に係る滅菌機能付きの弾力性手袋の検査及び装着装置の構造設計は、簡潔で合理的で、制御盤によって電磁弁を制御すると、弾力性手袋の負圧による広げ、装着、及び正圧による収縮、脱装を実現できる。
【００１９】
該装置は、多種弾性素材のある弾力性手袋の滅菌に使用でき、更に極めて短時間内で迅速に装着することを実現できる。また、圧力検査スイッチにより滅菌チャンバーの内圧検査を行い、空気ホースの空気入れ・排出を組み合わせ、効果的に手袋素材の気密性及び手袋の装着時ぴったりな状態にあることを保証できる。装着者は、制御スイッチを通じて滅菌チャンバー内に負圧、平衡圧及び正圧を発生し、装着を終えた弾力性手袋を収縮させると共に、手首部セットリングから自動的に装着者の手に脱装できる。ろ過滅菌及びオゾン殺菌等の物理及び化学的滅菌法を通じて、装置及び弾力性手袋の清潔性・安全を保証し、且つ滅菌方法が人体の健康に害がない。装着と関わるチャンバー等の装置及び空気ホースについて、ろ過滅菌及びオゾン殺菌等の物理及び化学的滅菌法を用いると、医療看護の衛生要求を満たすことができる。
【００２０】
更にフットスイッチを通じて動作制御を行い、装着者が手袋以外その他の物体に手動で接触することを避ける。装着過程において、手動接触による制御及び人的監視の必要がなく、効果的に交差感染の発生を避けることができ、システムが安定で信頼できる。
【００２１】
更に弾性素材の異なる弾力性手袋に適するため、圧力検査スイッチの正圧・負圧の閾値を調整できる。
【００２２】
更にシステム制御の実施形態において、フットスイッチの２挙動操作スイッチと、リレーとを組み合わせて、インターロック形式として設計することで、システムの誤動作を避けて、使用安全を確保する。
【図面の簡単な説明】
【００２３】
【図１】図１は、本発明に係る滅菌機能付きの弾力性手袋の検査及び装着装置の構造を示す模式図である。
【図２】図２は、本発明における滅菌チャンバーの構造を示す模式図である。
【図３】図３は、本発明の異なる圧力状態下での空気ホースを示す模式図である。
【図４】図４は、チャンバー貫通孔の外形図である。
【図５】図５は、チャンバー貫通孔の別の外形図である。
【図６】図６は、チャンバー貫通孔の第３種外形図である。
【図７】図７は、チャンバー貫通孔の外縁の構造を示す模式図である。
【図８】図８は、チャンバー貫通孔の外縁の別の構造を示す模式図である。
【図９】図９は、チャンバー貫通孔の外縁の３種類目の構造を示す模式図である。
【図１０】図１０は、チャンバー貫通孔の外縁の４種類目の構造を示す模式図である。
【図１１】図１１は、チャンバー貫通孔の外縁の５種類目の構造を示す模式図である。
【図１２】図１２は、伸縮構造のチャンバー貫通孔の構造を示す模式図で、図（ａ）及び図（ｂ）が２つの状態下の模式図である。
【図１３ａ】図１３ａは、係止手段の構造を示す模式図である。
【図１３ｂ】図１３ｂは、係止手段をチャンバー貫通孔に取り付けた後の状態下の構造を示す模式図である。
【図１３ｃ】図１３ｃは、係止手段をチャンバー貫通孔に取り付けた後の状態下の構造を示す模式図である。
【発明を実施するための形態】
【００２４】
以下に添付図面を参照しながら、本発明の具体的な実施形態について詳細に説明する。
【００２５】
本発明に係る滅菌機能付きの弾力性手袋の気密性の検査及び迅速な装着装置は、図１に示すように、２つの滅菌装置を内蔵した滅菌チャンバー１と、弾力性手袋２の手首部セットリング３と、接続用空気ホース４と、二方向エアーポンプ５と、オゾン発生器６と、圧力検査スイッチ７と、電磁弁８と、流量調節弁９と、逆止弁１０と、除菌フィルタ１１と、制御回路１２と、制御盤１３と、フットスイッチ１４と、を含む。滅菌チャンバー１の一側には、弾力性手袋２の手首部セットリング３を取り付ける貫通孔を開設している。前記手袋２の指袋部は、前記滅菌チャンバー１の内部に位置し、手首部がセットリング３を通じて前記滅菌チャンバー１上に固定され、制御動作下で前記弾力性手袋２の迅速な装着を終えることができる。前記滅菌チャンバー１の底部両側に、二方向エアーポンプ５を接続し、空気源となる空気ホース継手１７を設ける。また、滅菌装置６とする低出力タイプのオゾン発生器及び滅菌チャンバー１の内圧を検査すると共に閉ループ制御を行う圧力検査スイッチ７を取り付ける。前記低出力タイプのオゾン発生器は、内蔵滅菌装置とし、安全で高効率で且つ人体に危害を及ぼさない。前記空気ホース４上に電磁弁８、流量調節弁９、逆止弁１０及び除菌フィルタ１１を取り付け、前記滅菌チャンバー１及び二方向エアーポンプ５まで接続している。前記空気ホース４は、滅菌チャンバー１に出入る気流進行方向と流量に対し制御及び除菌ろ過できる。
【００２６】
動作制御に用いるモジュールは、制御回路１２と、制御盤１３と、フットスイッチ１４とを含む。フットスイッチ１４及び圧力検査スイッチ７で動作制御及び閉ループ制御を行い、手動でタッチする必要がない。
【００２７】
滅菌チャンバー１の手首部セットリング３で弾力性手袋２をセットして固定する時、該チャンバーの貫通孔が対外的に密封されることになり、チャンバーの内部圧力変化が前記弾力性手袋２の弾性変形を起こす。滅菌チャンバー１内部の負圧（標準大気圧より小さい）を利用して、前記弾力性手袋２を広げて容易に装着する。該手袋の素材完全性が損傷を受けた時、滅菌チャンバー１の内圧状態及び該手袋の広げ状態を通じて自己検査できる。滅菌チャンバー１内部の正圧（標準大気圧より大きい）を利用して、前記弾力性手袋２を収縮させてその迅速な装着を終える。
【００２８】
図２に示すように、本発明の弾力性手袋装着に用いる滅菌チャンバー構造は、チャンバー貫通孔１５と、セットリング３と、チャンバーケース１６と、空気通路ポート１７と、を含む。セットリング３で装着待ちの弾力性手袋をセットして固定する時、該チャンバーの貫通孔１５が対外的に密封されることになる。チャンバーの内部圧力は、空気通路ポート１７内の気流を通じて変化し、またセットリング３上にセットしている弾力性手袋の弾性変形が起こる。該弾性変形が一定の程度に達した時、弾力性手袋の装着及び装着後の自動脱装を実現できる。
【００２９】
本発明の動作原理は、図１、図３に示すように、フットスイッチ１４を通じて装着操作を起動する。滅菌チャンバー１の内圧が圧力スイッチ７の測定閾値に達していない時、ホース状態が図３内の負圧発生部分に示すとおりとなる。この時、二方向エアーポンプ５の吸気口は、空気ホース４を通じて、２個の電磁弁８のポートＡに各々接続すると共に、滅菌チャンバー１の排気口と連通する。二方向エアーポンプ５の排気口が、２個の電磁弁８のポートＢに各々接続すると共に、外気と連通して吸気循環を形成する。これにより、２個の滅菌チャンバー１中の圧力を減らすことで、弾力性手袋２の広げを容易にして装着を行う。この時、前記弾力性手袋２の素材に破損がある場合、圧力スイッチ７の表示数値及び該手袋の広げ状態を通じて自己検出できる。システムは、フットスイッチ１４を通じて起動せず、又は圧力スイッチ７で滅菌チャンバー１中の圧力が一定の閾値に達したと測定した時、スイッチ制御信号を出力し、滅菌チャンバー１及び空気ホース４が平衡圧状態にある又は切り替えられ、図３内の平衡圧部分に示すとおりとなる。二方向エアーポンプ５の吸気口及び排気口の電磁弁８に連なる通路は、いずれも外気と連通し、左右両側の滅菌チャンバー１の吸気口及び排気口の通路が閉鎖される。チャンバーの内部気圧は、密封状態が良好の時、維持でき、チャンバー貫通孔を開けた時、外部気圧に等しい。他側のフットスイッチ１４を踏み、且つ滅菌チャンバー１の内圧が圧力スイッチ７の測定閾値に達していない時、ホース状態が図３内の正圧発生部分に示すとおりとなる。二方向エアーポンプ５の排気口は、各々２個の電磁弁８のポートＢに連なると共に、滅菌チャンバー１の吸気口と連通する。二方向エアーポンプ５の吸気口が、電磁弁８のポートＡに連なると共に、外気と連通して空気入れ循環を形成し、２個のチャンバー中の圧力が増大し、弾力性手袋２を収縮させて装着を終える。
【００３０】
滅菌チャンバー１の内部は、低出力タイプのオゾン発生器６を通じて消毒滅菌を行うことで、安全で高効率である。空気ホース４には除菌フィルタ１１を取り付けたため、該チャンバーに出入りする気流の清潔性を保証し、且つ流量調節弁９及び逆止弁１０を通じて気流量を調整させることができると共に、動作指標を満たす。
【００３１】
更に本発明に係る装置の装着を容易にすることを保証するため、前記チャンバー貫通孔の横断面外形は、円形及び類円形構造（図４）、或いは楕円形及び類楕円形構造（図５）、若しくは上部切断面が鋭形で下部切断面が鈍形の卵形又は類卵形構造（図６）とすることができる。
【００３２】
手袋の装着を容易にするため、前記チャンバー貫通孔は、次の変形形態を用いることができる。
【００３３】
１）外縁増量による口径変更（図１０）：チャンバー貫通孔の口縁半径は、上から下への増量が徐々に小さくなる。上方口縁半径の増量が大きいため、セットを容易にし、下方口縁半径の増量が小さいため、簡単に脱装する。言い換えると、図において、チャンバー貫通孔の口縁は、チャンバー貫通孔の一端から右に向い且つ各々上向き及び下向き延伸してなる。しかし、口縁が各々上向き及び下向き延伸の寸法は異なり、具体的から言うと、口縁が中心から上に向かって延伸する寸法は、口縁の下に向かって延伸する寸法より大きい。こうすると、手袋を滅菌チャンバー内に置いた後、その自由端を裏返して口縁上に固定した時、セットに便利で、且つ簡単に脱装することを実現できる。
【００３４】
２）外縁の段が滑らかな斜角に変わる形態（図１１）：チャンバー貫通孔の口縁頂部が、階段状となり、また下に向かって滑らかな斜角状に変わる。口縁頂部は、直角階段状であり、セットに便利である。口縁底部が斜角状であるため、簡単に脱装できる。言い換えると、図において、チャンバー貫通孔の口縁は、チャンバー貫通孔の一端から各々上下に向かって延伸してなる。しかし、口縁の上に向かって延伸する部分は、直角設計で、口縁の下に向かって延伸する部分が斜角設計とする。
【００３５】
３）外縁が伸縮方式を採用（図１２）：移動自在のチャンバー貫通孔を本発明の実施例として用い、前記口縁は弾力性のある材料で製造され、且つ口縁とチャンバー貫通孔の間に弾性部材を設けている。手袋をチャンバー貫通孔にセットする時、口縁が外力の作用下で、チャンバー貫通孔の内部に向かって移動すると共に、弾性部材を引っ張ってチャンバー貫通孔を収縮させて口径を小さくさせることで、セットを容易にする。手袋のセットを終えた後、外力が消え、弾性部材の作用下で、口縁が元の状態に戻り、口径も同時に元に戻って、手袋をしっかりと固定する。負圧をかけて手袋が膨らんだ後、手袋を装着し、そして平衡圧及び正圧をかけ、正圧が一定の圧力値に達した後、チャンバー貫通孔が再度収縮して、簡単に脱装することを実現する。
【００３６】
更に手袋のセットを容易にし、簡単に手袋を脱装するニーズのため、前記チャンバー貫通孔外壁の口縁に近い箇所に、係脱自在な係止手段（図１３）を設ける。手袋のセット時、係止手段が収縮し、係止手段を通じて手首部を固定する。負圧を吸引する前、係止手段が跳ねて手袋をしかりと固定する。手袋を装着した後、正圧をかけると、係止手段が再度収縮して簡単に脱装を実現する。
【００３７】
前記チャンバー貫通孔の外縁構造は、図７に示すように、フレア状構造又は階段状構造或いは斜角状構造とすることができる。前記フレア状とは、図７に示すように、チャンバー貫通孔の口縁半径が徐々に増大し、且つ滑らかな円弧となることをいう。前記階段状とは、図８に示すように、チャンバー貫通孔の口縁半径が増大し、且つ直角階段状となることをいう。前記斜角状とは、図９に示すように、チャンバー貫通孔の口縁半径が徐々に増大し、且つ滑らかな斜角となることをいう。
【産業上の利用可能性】
【００３８】
本発明に係る滅菌機能付きの弾力性手袋の気密性の検査及び迅速な装着装置の構造設計は、簡潔で合理的で、原理根拠が十分で、実施形態が実現しやすく、使用時安全で、便利且つ高効率で、また弾力性手袋の装着操作中の衛生条件要求を十分満たすことができる。
【符号の説明】
【００３９】
１          滅菌チャンバー
２          弾力性手袋
３          手首部セットリング
４          空気ホース
５          エアーポンプ
６          滅菌装置
７          圧力検査スイッチ
８          電磁弁
９          流量調節弁
１０        逆止弁
１１        除菌フィルタ
１２        制御回路
１３        制御盤
１４        フットスイッチ
１５        チャンバー貫通孔
１６        チャンバーケース
１７        空気ホース接続口
【図１】
0006405040.tif 000002
【図２】
0006405040.tif 000003
【図３】
0006405040.tif 000004
【図４】
0006405040.tif 000005
【図５】
0006405040.tif 000006
【図６】
0006405040.tif 000007
【図７】
0006405040.tif 000008
【図８】
0006405040.tif 000009
【図９】
0006405040.tif 000010
【図１０】
0006405040.tif 000011
【図１１】
0006405040.tif 000012
【図１２】
0006405040.tif 000013
【図１３ａ】
0006405040.tif 000014
【図１３ｂ】
0006405040.tif 000015
【図１３ｃ】
0006405040.tif 000016